(57)【要約】      （修正有）【課題】食事や喫茶等において、感情（心）や感覚（五感）の快適な刺激を手軽に取得することのできる食事用具を提供する。【解決手段】キャラクター形状物、該キャラクター形状物を載置することで舞台を演出する載置具、該載置具を支持する形状可変部を設けた支柱及び該支柱の立設安定化を図る固定物から構成され、該キャラクター形状物は、載置舞台と接する底部に第１の接触固定機構を設け、該載置具は、該載置舞台となる表面に第２の接触固定機構を設け、該キャラクター形状物は、該第２の接触固定機構を設けた該載置舞台の表面において、第１の接触固定機構と着脱自在に接触固定し、該支柱は、その上端部に載置具裏面の第３の接触固定機構と着脱自在に接触固定することのできる第４の接触固定機構を設け、その下端部に第６の接触固定機構を設けた固定物と着脱自在に接触固定することのできる第５の接触固定機構を設けてなることを特徴とする食事用具。【選択図】図１
2019110984.tif 000002
【特許請求の範囲】
【請求項１】
キャラクター形状物、該キャラクター形状物を載置することで舞台を演出する載置具、該載置具を支持する形状可変部を設けた支柱及び該支柱の立設安定化を図る固定物から構成され、該キャラクター形状物は、載置舞台と接する底部に第１の接触固定機構を設け、該載置具は、該載置舞台となる表面に第２の接触固定機構を設け、該キャラクター形状物は、該第２の接触固定機構を設けた該載置舞台の表面において、第１の接触固定機構と着脱自在に接触固定し、該支柱は、その上端部に載置具裏面の第３の接触固定機構と着脱自在に接触固定することのできる第４の接触固定機構を設け、その下端部に第６の接触固定機構を設けた固定物と着脱自在に接触固定することのできる第５の接触固定機構を設けてなることを特徴とする食事用具。
【請求項２】
キャラクター形状物は、底部以外の外部表面の一部に第７の接触固定機構を設け、第８の接触固定機構を設けた別体となる様々な形状の容器、キャラクター形状物、利用者の心的状態を文字・記号・絵・マークで表現した心的情報表現部品又はその他の物品のいずれかと着脱自在としてなることを特徴とする請求項１記載の食事用具。
【請求項３】
キャラクター形状物は、開閉自在な空間部を有し、該空間部に調味料、香辛料、菓子類、情報交換手段としてのメモ用紙を含む紙類、嗜好品、香水、香料のいずれか又はそれらを組み合わせた物を取り出し自在に収容してなることを特徴とする請求項１又は２記載の食事用具。
【請求項４】
キャラクター形状物は、その一部に屈曲又は伸縮を可能とする金属、プラスチック樹脂からなるバー、チューブ、フレキシブルチューブよりなる形状を変化させることのできる形状可変部を設けてなることを特徴とする請求項１乃至３のいずれか記載の食事用具。
【請求項５】
キャラクター形状物は、顔面部を有し、眼、鼻、眉又は口を含む顔面を構成する各部位を個別に着脱又は移動自在とし、その装着位置及び装着状態により顔面の表情の変化を可能とした顔面表情可変部を設けてなることを特徴とする請求項１乃至４のいずれか記載の食事用具。
【請求項６】
キャラクター形状物又は載置具は、その一部に電球、ＬＥＤ、ＥＬ又は発光塗料を設け、これらは通電又は光により発光し、キャラクター形状物の視認性向上又はキャラクター形状物へのライトアップを可能としてなることを特徴とする請求項１乃至５のいずれか記載の食事用具。
【請求項７】
載置具は、その周辺に縁部を形成し、該縁部にキャラクター形状物の載置範囲を定める境界線、段差及び壁のいずれかからなる境界部を設け、上記載置範囲には縦線及び横線で形成された座標或いは目印部により位置情報を表示してなることを特徴とする請求項１乃至６のいずれか記載の食事用具。
【請求項８】
支柱は、円柱や多角柱よりなる柱状体、棒状体又は管状体とし、その一部に、屈曲又は伸縮を可能とする金属、プラスチック樹脂よりなるバー、チューブ、フレキシブルチューブ又はピン接合、ボルト締め、ラチェット機構或いは蛇腹機構、伸縮機構よりなる部位を形成し、該支柱の前後左右の位置及び高さ位置を変化させることのできる形状可変部を設けてなることを特徴とする請求項１乃至７のいずれか記載の食事用具。
【請求項９】
固定物は、第６の接触固定機構を設けた板状体とし、該板状体としては、乾電池やソーラー電池の収容スペースとなる電力供給手段を設けたもの又は携帯端末となる通信機器類を設けたものとしてなることを特徴とする請求項１乃至８のいずれか記載の食事用具。
【請求項１０】
携帯端末となる通信機器類は、そこに表示された創作物や装飾物の画像を現実の創作物や装飾物に変換する手段として、画像に表示されたキャラクター形状物、載置具、支柱及び固定物のいずれか又は全ての要素を抽出し、画像に表示されたキャラクター形状物と載置具、載置具と支柱及び支柱と固定物の接触固定部の位置を位置情報として数値化し、その数値に対応する座標や目印部が表示された現物の載置具の載置舞台或いは接触固定部に位置合わせしながらキャラクター形状物を載置、載置具裏面への支柱の設置及び固定物への支柱の設置の位置を確定してなることを特徴とする請求項９記載の食事用具。
【請求項１１】
固定物は、その一部に駆動源を設け、該駆動源への通電により載置具又は支柱を可動或いは回転運動可能としてなることを特徴とする請求項１乃至１０のいずれか記載の食事用具。
【請求項１２】
接触固定機構は、磁石、吸盤、面ファスナー、嵌め込み部材、螺合部材、両面テープ、粘着シート又は磁石と鉄粉の強磁性体粉末を充填したプラスチック樹脂や紙の組み合わせとしてなることを特徴とする請求項１乃至１１のいずれか記載の食事用具。
【発明の詳細な説明】
【技術分野】
【０００１】
本発明は、接触固定機能を有するキャラクター形状物、該キャラクター形状物を載置する舞台を表面に形成した載置具、該載置具を支持する支柱及び該支柱の立設安定化を図る固定物を組み合わせてなる構成と、これら構成のものを様々に使用することで食事や喫茶等において、感情（心）や感覚（五感）の快適な刺激を手軽に取得することのできる食事用具に関するものである。
【０００２】
また、本発明は、従来の栄養の補給や味覚の堪能を主とする実用的な価値追求型食事（ハードな食事）から、心の潤いや自己の視覚化（おしゃれ）等を主とする情緒的な価値、官能的な価値追求型食事（ソフトな食事）への価値観を転換すること、即ち、感情や感覚の快適性を追求することのできる食事のための構成（ハード）とその構成に基づき様々な使用形態（ソフト）を得ることのできる食事用具に関するものである。
【０００３】
更に、本件出願人の先行した技術である生活用具と本発明の食事用具との相違は、前者の生活用具は、人間の生活における活動全般を考慮して創案したものであるが、後者の食事用具は、生活の中での対象を食事や喫茶等に特化したことにより、先の発明にはない特徴を醸し出したものである。
【背景技術】
【０００４】
昨今における価値観のトレンドは、モノよりコト、サービス、また、モノにおいては、ハード（要素や機器）よりソフト（使用方法）に価値を嗜好する傾向がある。
【０００５】
また、モノやサービスから得られる機能・性能、便利さ、安価等の実用的価値よりも、むしろモノやサービスから受容又は感応する楽しみ、喜び等の情緒的価値や自己の視覚化（おしゃれ）、心地好い感触等の官能的価値、即ち、感情や感覚の快適な刺激を重要視するソフト化志向が進行している事実がある。
【０００６】
通常のハードとソフトの組み合わせからなる用具として、従来より、ゲームやパズル等の遊技具が存在するが、これらの遊技具を用いた遊技は、勝ち負けや難問解決等、目的が定まっており、二者択一の結果とその結果に至るプロセス、スピード、スキル、スリルを楽しむものが主流であり、結果の多様性を楽しむものは殆どなかった。
【０００７】
本発明に対する先行技術として、本件出願人に係る下記する特許第５３８８３８６号及び特許第５４１９２４６号の生活用具があるが、上記或いは下記するように、本発明とは異なるものである。
【先行技術文献】
【特許文献】
【０００８】
【特許文献１】特許第５３８８３８６号公報
【特許文献２】特許第５４１９２４６号公報
【発明の概要】
【発明が解決しようとする課題】
【０００９】
上記先行技術となる生活用具は、底部に接触固定機構を有するキャラクター形状容器又はキャラクター形状物と、これらの載置・収納機能を有する載置具と収納箱の一体化形成物との組み合わせからなる構成であり、これらの構成よりなるものを日常生活全般において利用することにより、感情や感覚の快適な刺激が手軽に得ることができ、心と五感を豊かにする用具を対象とした技術である。
【００１０】
しかし、上記生活用具を食事に適用した場合、下記の課題を有している。
（１）要素（キャラクター形状物）と活動体験（意志決定）プロセス（キャラクター形状物の載置舞台への載置）の選択肢が、各１種類と少なく組み合わせが限定されるため、慣れると飽きてしまい好奇心が持続しない欠点があった。
（２）食事テーブルに載置する場合、収納箱の載置面積が大きく料理の配膳の妨げになる欠点があった。
（３）料理の容器、例えば、吸物容器の転倒により汁がこぼれた場合、キャラクター形状物、載置具、収納箱の汚損のおそれがあった。
（４）料理の容器の高さが、キャラクター形状物、載置具、収納箱の各々の寸法の和より高い場合、生活用具が目立たず、顧客の注目を集めにくいためアクセサリー機能を阻害する欠点があった。
（５）画像をスマホに保存し、現物に再現する場合、キャラクター形状物の載置舞台上で正確な載置位置が判らないため載置に手間暇かかる欠点があった。
【００１１】
これらの課題に鑑み、本発明の目的は、簡単な要素（ハード）と多様なプロセス（ソフト）の組み合わせにより、個性、センス、価値観、スキル、バランス感覚等の違いに応じた結果の多様性を認識し、結果とプロセスから感応する感情（心）や感覚（五感）の快適な体験を享受することにより、食事や喫茶等において、心の潤い、魅せる悦び、睦み合いが体験可能な用具、即ち食事のソフト化（感情（心）と感覚（五感）が快適になる食事）を支援する食事用具の実現を図ることである。
【課題を解決するための手段】
【００１２】
上記課題を解決するための手段として、本発明の食事用具は、キャラクター形状物、載置具、支柱及び固定物の４種類の要素（ハード）と４種類の活動体験プロセス（ソフト）の組み合わせにより、課題の解決を図った。
課題（１）は、要素の価値の転換、個別化、要素間の着脱自在の接触固定構造と活動体験プロセスの多様化による組み合わせの数の増加により解決した。
課題（２）は、食事テーブルに直接載置される固定物の形状、重量の調整により載置面積の縮小を図り、配膳を容易にすることで解決した。
また、形状可変機能を有する支柱により自由に高さ調整が可能となり、吸物容器の転倒等によるキャラクター形状物等の汚損を防止することで課題（３）の解決をした。
更に、視認性の改善によりアクセサリー機能の回復を図ることで課題（４）の解決をした。
課題（５）は、載置具の載置舞台表面に座標設定し、キャラクター形状物下部表面の一部に小さな目印部を付加することにより、キャラクター形状物の位置と方向がすぐに判り、再現に要する時間を低減することで解決した。
これらの手段により上記課題は全て解決され、結果の多様性の認識と結果とそのプロセスから感応する快適な感情と感覚の体験を享受し、食事において、心の潤い、魅せる悦び、睦み合いができる食事用具の実現が可能となった。
【００１３】
以下、課題を解決するための手段と生活用具から食事用具に至る経緯に関し具体的に記述する。
Ａ．課題を解決するための手段
１．生活用具の構成…キャラクター形状物又はキャラクター形状容器（以下、キャラクター形状物と記載）と、載置具と収納箱の一体化形成物からなる要素（ハード）及びキャラクター形状物の載置具の載置舞台への載置活動体験プロセス（ソフト）の組み合わせ。
２．垂直思考による解析…現状維持を前提とし、その延長線（垂直思考）上での課題の解決。載置具の載置舞台表面に座標設定し、キャラクター形状物の下部表面に目印部を設置することにより、キャラクター形状物の載置舞台上における位置と方向を知る。前記課題（５）の解決。
３．発想の転換…生活用具を各要素に分解する。キャラクター形状物、載置具、収納箱に分離し、個別化を図る。
４．取捨選択…食事用具に必須なキャラクター形状物と載置具は抽出し、食事に直接関係ない収納箱は削除する。キャラクター形状物と載置具及びその組み合わせにより課題の解決を図る。
５．要素の探索…載置具の支持に必要な要素（実用的価値）と該要素の立設安定化に必要な要素（実用的価値）を探索する。
６．支柱と固定物の採用…載置具を支持する要素として、伸縮及び屈曲可能（形状可変機能）な支柱、該支柱の立設安定化を図る固定物を採用する。
７．支柱と固定物の効果…形状可変機能を有する支柱の付加によりその上端部に接触固定された載置具は、自由自在に高さと方向調整が可能となり、吸物容器の転倒等によるキャラクター形状物、載置具の汚損防止及び視認性の改善によりアクセサリー機能が回復し、自己の視覚化が図れる。前記課題（３）及び課題（４）の解決。
また、支柱の下端部に接触固定された固定物は、形状、重量調整及び粘着テープ等の付加により、食事テーブルとの載置面積が縮小され、料理の配膳を容易にする。前記課題（２）の解決。
【００１４】
Ｂ．生活用具から食事用具に至る経緯
１．原因解析
生活用具を食事に適用した場合、好奇心が持続しない原因は、要素（キャラクター形状物）と活動体験プロセス（キャラクター形状物の載置舞台への載置）の選択肢が各１種類と少なく、組み合わせが限定されること、及び載置具と収納箱が一体化形成物のため、載置具が収納箱の制約を受け、載置舞台のデザインの自由度を妨げることによると判断した。
２．前提条件
生活用具から食事用具に至る過程において、量（要素と活動体験プロセスの選択の機会）は、質（結果とプロセスから生れる感情（心）と感覚（五感）の快適な体験）を担保する前提に立ち、要素と活動体験プロセスの量の多様化により質を確保する。
３．食事用具の要素（モノ又は部品、ハード）
１）価値の転換
要素は、実用的価値（例えば、支柱の載置具を支持する機能）からその実用的価値を維持しつつ情緒的価値（支柱のスタイルをデザインするプロセスの楽しみ）と官能的価値（支柱の審美性による視覚化）を形状、材質、色彩、デザイン等の工夫により付加し、価値の転換（多様化）を図る。
２）個別化
要素は、形状及び設計の自由度向上、選択肢の増加、要素間の連携の多様化推進を図るため個別化する。
３）要素間の連携
要素間の連携は、両者の接触固定機構を介した着脱自在の接触固定とする。
４）要素及び選択肢（要素選択の機会又は要素の多様化を評価する尺度）
（１）要素
ａ．キャラクター形状物、ｂ．載置具、ｃ．支柱、ｄ．固定物
（上記要素は、形状、材質、色彩、デザイン、構造等の違いによる仕様変更可能）
（２）要素及び選択肢の数量
要素の種類：４、選択肢の種類：４
４．食事用具のプロセス（コト、ソフト）
１）活動体験（意志決定）プロセス及び選択肢（プロセス選択の機会又はプロセスの多様化を評価する尺度）
（１）活動体験プロセス
ａ．キャラクター形状物の載置舞台への載置
ｂ．支柱上端部の載置具裏面への設置
ｃ．支柱下端部の固定物表面への設置
ｄ．支柱の形状可変部への作用
（２）プロセス及び選択肢の数量
プロセスの種類：４、選択肢の種類：４
【００１５】
生活用具と食事用具の比較
食事用具は、要素の価値の転換、個別化、要素間の連携及び活動体験プロセスにより、多様化を評価する尺度の選択肢（要素４、プロセス４）８、また、生活用具の選択肢２（要素１、プロセス１）であり、単純比較すると４倍多様化していると評価される。課題（１）の解決。（但し、生活用具の要素の載置具は、収納箱と一体化により設計の自由度が制限されるため選択肢から除外した。）
また、食事用具は、結果の多様性の認識により食事のソフト化を支援する用具として実現する価値があると判断した。
【００１６】
上記内容を要約すると、本発明の食事用具は、実用的な価値追求型食事（ハード）から心の潤いや自己の視覚化（おしゃれ）を主とする情緒的な価値や官能的な価値追求型食事（ソフトな食事）への価値観の転換を図る用具である。
また、先行技術である生活用具と本発明の食事用具の相違は、前者は、人間の生活における活動全般に亘るものであるが、後者は、生活の中での対象を食事に特化したものであり、要素の構成と構造は異なるものである。
本食事用具の主要テーマは、結果の多様化の認識（同じ要素とプロセスを使用しても結果は個性、価値観等の違いにより異なる）と食事のソフト化（感情（心）と感覚（五感）が快適になる食事）であるが、食事は、世界共通の文化で国境等がないため、グローバル展開が可能な技術である。因みに、本食事用具のキイワードは、多様化、ソフト化、グローバル化である。
本発明は、生活用具を食事に適用した場合の課題を抽出し、その解決手段を食事用具に展開した技術である。
【００１７】
生活用具から食事用具へ展開する過程において、量は質を担保する前提に立ち、要素と活動体験プロセスの多様化により質を確保する。
（１）要素の個別化（独立）により設計の自由度を上げ、仕様の多様化を図る。
（２）要素の機能の転換（複合化）により価値の多様化を図る。
（３）支柱の形状可変機能により審美性の多様化を図る。
（４）要素間の着脱自在な接触固定機能により載置又は設置位置、方向の多様化を図る。
これらの多様化により結果の質を確保する。
【００１８】
本発明は、キャラクター形状物、該キャラクター形状物を載置することで舞台を演出する載置具、該載置具を支持する形状可変部を設けた支柱及び該支柱の立設安定化を図る固定物から構成され、該キャラクター形状物は、載置舞台と接する底部に第１の接触固定機構を設け、該載置具は、該載置舞台となる表面に第２の接触固定機構を設け、該キャラクター形状物は、該第２の接触固定機構を設けた該載置舞台の表面において、第１の接触固定機構と着脱自在に接触固定し、該支柱は、その上端部に載置具裏面の第３の接触固定機構と着脱自在に接触固定することのできる第４の接触固定機構を設け、その下端部に第６の接触固定機構を設けた固定物と着脱自在に接触固定することのできる第５の接触固定機構を設けてなることを特徴とする食事用具である。
【００１９】
本発明は、キャラクター形状物、載置具、支柱及び固定物の４要素から構成され、キャラクター形状物と載置具、載置具と支柱及び支柱と固定物の関係は各要素の接触固定機構を介した着脱自在な接触固定構造とし、個性、価値観、センス等の違いによる結果の多様性（同じ要素とプロセスでも異なる結果を生じる）の認識と感情（心）と感覚（五感）の快適性の追求、即ち心の潤い、魅せる悦び、睦み合いが満たされる食事用具の実現を目的とする。
本発明の食事用具は、食事や喫茶環境において感情（心）と感覚（五感）の快適性が満喫できる要素（ハード）に関するものである。また、各要素は、個別化され、形状、材質、色彩、デザイン等の変更により仕様変更（多様化）が可能となる。更に、この食事用具は、（１）多様な結果、（２）意志決定するプロセス、（３）結果の利用でおしゃれが楽しめる、即ち３つの楽しみが期待できる用具である。
【００２０】
１．キャラクター形状物において中心的役割を演じるメインキャラクター形状物は、利用者の代替を演じ、（１）調味料、香辛料容器の搭載、（２）心的情報表現部品の装着、（３）顔面表情可変部の設置、（４）請求項４の形状可変部の設置（体調情報表現）、（５）リボンブローチ等の装着による自己の視覚化の機能を有し、おしゃれやコミュニケーションツールとして作用する。
２．載置具は、キャラクター形状物及び支柱を着脱自在に載置又は設置することができる載置舞台を有するものをいう。
３．支柱は、載置具を支持することができるものをいう。
４．固定物は、キャラクター形状物、載置具及び支柱の転倒防止を図る立設安定化物をいう。
【００２１】
１．形状可変部は、要素において伸縮、屈曲等の形状変更が可能な部位をいう。
２．載置舞台は、載置具の周辺に縁部を形成し、その縁部にキャラクター形状物の載置範囲を定める境界線、段差及び壁等の境界部を設け、その境界部内の領域をいう。
３．底部は、キャラクター形状物を載置舞台に載置する際、載置舞台の接触固定面と接触する部分をいう。
４．接触固定機構は、キャラクター形状物等に設置された部材又は構造で、磁石、鉄板、吸盤、面ファスナー、嵌め込み部材、両面テープ等が該当する。
５．接触固定機構となる第１、第２、第３、第４、第５、第６、第７及び第８の接触固定機構は、キャラクター形状物、載置具等における接触固定機構設置部位を示すもので、接触固定機構を構成する部材又は構造とは関係はない。
６．着脱自在に接触固定とは、取り付け、取り外しが容易に可能な程度の接触強度で、０．０１〜１０Ｎの範囲を目安とする。
７．支柱の上端部は、載置具裏面の接触固定機構と着脱自在に接触固定する部分をいう。
８．支柱の下端部は、固定物の接触固定機構と着脱自在に接触固定する部分をいう。
【００２２】
本発明の食事用具におけるキャラクター形状物は、底部以外の外部表面の一部に第７の接触固定機構を設け、第８の接触固定機構を設けた別体となる様々な形状の容器、キャラクター形状物、利用者の心的状態を文字・記号・絵・マークで表現した心的情報表現部品又はその他の物品のいずれかと着脱自在としてなることを特徴とする請求項１記載の食事用具である。
【００２３】
１．“底部以外の外部表面”とは、キャラクター形状物は既に底部に第１の接触固定機構が設置されているので、接触固定機構の設置はできないので、そのように表現した。
２．心的情報表現部品としては、利用者の最近の精神状態、バイオリズム、心の健康度等がお天気マークで描写されたチップ等がある。
３．その他の物品としては、リボン、ブローチ等のアクセサリーが考えられる。
【００２４】
本発明の食事用具におけるキャラクター形状物は、開閉自在な空間部を有し、該空間部に調味料、香辛料、菓子類、情報交換手段としてのメモ用紙を含む紙類、嗜好品、香水、香料のいずれか又はそれらを組み合わせた物を取り出し自在に収容してなることを特徴とする請求項１又は２記載の食事用具である。
【００２５】
１．調味料、香辛料は、容器に封入、メインキャラクターに搭載され、料理に添加されると味覚のドレスアップ（ミニグルメ）が体験できるものである。
２．空間部に個人情報が記載されたメモ用紙が入っているキャラクター形状物を食事終了後等において、相手に手渡し、プライベートな情報交換を楽しむことができる。
３．嗜好品は、酒類、茶類、コーヒー、タバコ等を指示する。
【００２６】
本発明の食事用具におけるキャラクター形状物は、その一部に屈曲又は伸縮を可能とする金属、プラスチック樹脂からなるバー、チューブ、フレキシブルチューブよりなる形状を変化させることのできる形状可変部を設けてなることを特徴とする請求項１乃至３のいずれか記載の食事用具である。
【００２７】
１．形状可変部は、キャラクター形状物の脚、首、胴体等の形状変化により外観が異なり印象が多様化する効果がある。
２．形状可変部により、載置時には大きく、収納時には小さくすることができ、省スペースになる。
３．キャラクター形状物の形状可変機能（例えば、カメの首の伸縮）により、体調情報表現部（体の元気度）として利用可能である。
【００２８】
本発明の食事用具におけるキャラクター形状物は、顔面部を有し、眼、鼻、眉又は口を含む顔面を構成する各部位を個別に着脱又は移動自在とし、その装着位置及び装着状態により顔面の表情の変化を可能とした顔面表情可変部を設けてなることを特徴とする請求項１乃至４のいずれか記載の食事用具である。
【００２９】
１．顔面表情可変部は、顔面を構成する目、鼻、眉、口等の各部位を個別に着脱したり移動したりして表情を変化させることが可能で、その時点における快、不快等の気分、機嫌を表現する部位である。
２．メインキャラクター形状物に心的情報表現部品の装着、体調情報表現部の設置及び顔面表情可変部を設置し、心の状態、体の状態、気分の状態を表現させ、相手に伝達することにより会話のきっかけ作りをするコミュニケーションツールとして利用できる。
【００３０】
本発明の食事用具におけるキャラクター形状物又は載置具は、その一部に電球、ＬＥＤ、ＥＬ又は発光塗料を設け、これらは通電又は光により発光し、キャラクター形状物の視認性向上又はキャラクター形状物へのライトアップを可能としてなることを特徴とする請求項１乃至５のいずれか記載の食事用具である。
【００３１】
固定物に乾電池を設置し、支柱を経由して載置具の表面に設置された電球、ＬＥＤ、ＥＬ等に電力供給して発光させ、キャラクター形状物の視認性向上やライトアップを図るものである。
【００３２】
本発明の食事用具における載置具は、その周辺に縁部を形成し、該縁部にキャラクター形状物の載置範囲を定める境界線、段差及び壁のいずれかからなる境界部を設け、上記載置範囲には縦線及び横線で形成された座標或いは目印部により位置情報を表示してなることを特徴とする請求項１乃至６のいずれか記載の食事用具である。
【００３３】
１．“その周辺に縁部を形成し”とは、載置具の端部から３ｃｍ以内の範囲に境界部を設定することを意味し、その理由は、キャラクター形状物の載置舞台の範囲の明確化と落下に対する心理的抑止力を作用させることである。
２．載置範囲の大きさは、ＩＳＯ２１６規格によるＡ４サイズの５０％以下とする。
３．本発明の食事用具は、主に外食使用のため、普通のバッグに収容できる形態サイズと軽量化が重要である。
４．スマホ等の携帯端末に表示された装飾物の画像を現実の装飾物に変換する場合、載置範囲に座標や目印部が存在すると位置合わせが楽で正確に載置することができる。
【００３４】
本発明の食事用具における支柱は、円柱や多角柱よりなる柱状体、棒状体又は管状体とし、その一部に、屈曲又は伸縮を可能とする金属、プラスチック樹脂よりなるバー、チューブ、フレキシブルチューブ又はピン接合、ボルト締め、ラチェット機構或いは蛇腹機構、伸縮機構よりなる部位を形成し、該支柱の前後左右の位置及び高さ位置を変化させることのできる形状可変部を設けてなることを特徴とする請求項１乃至７のいずれか記載の食事用具である。
【００３５】
１．支柱は、食事用具の情緒的価値、官能的価値を決定する最重要要素である。
２．支柱の実施例は、図１及び図６を参照。
３．支柱の形状可変部は、審美性、デザイン性、機能性、視認性等を発揮する部位である。
４．支柱は、シンプル（単純）で、エレガンス（優しく品がある）で、バラエティ（変化に富む）なものとする。
５．支柱は、載置具及び固定物との取り外しが容易で嵩張らないため未使用時の収納が簡単である。
６．支柱は、方向調整が自在のため、机上の空間を効率的に利用することが可能である。
【００３６】
本発明の食事用具における固定物は、第６の接触固定機構を設けた板状体とし、該板状体としては、乾電池やソーラー電池の収容スペースとなる電力供給手段を設けたもの又は携帯端末となる通信機器類を設けたものとしてなることを特徴とする請求項１乃至８のいずれか記載の食事用具である。
【００３７】
１．固定物を板状体にすると、載置面積が大きくなり（形状効果）、また、乾電池や携帯端末（スマホ）を置くことができるため（重量効果）、支柱の転倒予防が可能となる。
２．携帯端末（スマホ）を固定物表面に置くため、置忘れを防止することができる。
【００３８】
上記携帯端末となる通信機器類は、そこに表示された創作物や装飾物の画像を現実の創作物や装飾物に変換する手段として、画像に表示されたキャラクター形状物、載置具、支柱及び固定物のいずれか又は全ての要素を抽出し、画像に表示されたキャラクター形状物と載置具、載置具と支柱及び支柱と固定物の接触固定部の位置を位置情報として数値化し、その数値に対応する座標や目印部が表示された現物の載置具の載置舞台或いは接触固定部に位置合わせしながらキャラクター形状物を載置、載置具裏面への支柱の設置及び固定物への支柱の設置の位置を確定してなることを特徴とする請求項９記載の食事用具である。
【００３９】
１．本発明に利用する携帯端末となる通信機器類は、スマートフォンが中心となる。
２．創作物は、キャラクター形状物が載置具の載置舞台に載置された状態のことをいう。
３．装飾物は、載置具、支柱及び固定物とを組み合わせた載置舞台上にキャラクター形状物が載置された創作物状態又はそれらが食事テーブルに載置された状態をいう。
【００４０】
本発明の食事用具における固定物は、その一部に駆動源を設け、該駆動源への通電により載置具又は支柱を可動或いは回転運動可能としてなることを特徴とする請求項１乃至１０のいずれか記載の食事用具である。
【００４１】
１．固定物に乾電池を設置し、その重量により支柱の転倒防止を図るとともに、支柱内に回路を形成し、載置具に電力供給可能な構造とする。
２．固定物に直流モーターを設置し、通電によりモーターのトルクを支柱に伝達し、載置具を回転させることができる。
【００４２】
本発明の食事用具における接触固定機構は、磁石、吸盤、面ファスナー、嵌め込み部材、螺合部材、両面テープ、粘着シート又は磁石と鉄粉の強磁性体粉末を充填したプラスチック樹脂や紙の組み合わせとしてなることを特徴とする請求項１乃至１１のいずれか記載の食事用具である。
【００４３】
１．磁石とは、フェライト磁石、金属磁石、ゴム磁石、サマリウム、コバルト等のレアメタル含有磁石を指示する。
２．磁石と鉄粉の強磁性体粉末を充填したプラスチック樹脂や紙の組み合わせとは、ＰＰ、ＰＥ等のプラスチックスや紙に鉄、ニッケル、コバルト等の粉末を必要な接触強度に合わせ、充填量を調整した強磁性体粉末混合樹脂又は紙である。
【発明の効果】
【００４４】
本発明は、食事や喫茶等において適宜な形状のキャラクター形状物、載置具、支柱及び固定物を組み合わせ、選択したキャラクター形状物を載置具の特定の位置に配置したり載置具や支柱の位置や高さの調整、左右前後方向への移動或いは固定等をすることにより、食事や喫茶等を楽しみながら、同時に、創作の楽しさと喜びを味わうことが可能となった。
【００４５】
また、食事や喫茶等を楽しみながら、心の潤い、魅せる悦び（おしゃれ）、睦み合いが可能となった。
【００４６】
更に、個性、教養、習慣等の違いによる価値観等の相違を認め合う社会（多様化社会）の形成に有益である。
【図面の簡単な説明】
【００４７】
【図１】本発明の食事用具の斜視図。
【図２】（ａ）乃至（ｆ）キャラクター形状物の正面図。
【図３】（ａ）乃至（ｄ）載置具と支柱の上端部との関係を示す断面図。
【図４】（ａ）、（ｂ）キャラクター形状物と他の物品との関係を示す正面図。
【図５】載置舞台の平面図。
【図６】（ａ）乃至（ｆ）支柱の形状可変部を示す側面図。
【発明を実施するための形態】
【００４８】
以下、本発明に係るキャラクター形状物とこれらの載置具、該載置具を支持する支柱及び固定物からなる食事用具の具体的構成とそれらの使用方法について、実施例に基づいて説明する。
【００４９】
なお、実施例や図面に示す文言及び番号は、下記する定義を有するものとする。
１．キャラクター形状物
物全体又はその一部が動物や植物のキャラクターを対象とする。例えば、図２（ａ）、（ｂ）動物のキャラクター、図２（ｃ）花や木等の植物のキャラクター、図２（ｄ）植物の実のキャラクター、図２（ｅ）自然物のキャラクター、図２（ｆ）文字のキャラクター等のイラスト、アニメ、漫画に登場するキャラクターや文字、図形のキャラクター等から構成された物をいい、物の外部表面の全体又はその一部に上記のものが描写されている物をいう。
２．載置具
キャラクター形状物を着脱自在に載置することができる載置舞台を有するものをいう。
３．載置舞台
載置具の周囲に縁部を形成し、その縁部にキャラクター形状物の載置範囲を定める境界線、段差、壁等の境界部を設けたその境界内の領域。
４．支柱
載置具を支持することができるものをいう。
５．固定物
キャラクター形状物、載置具及び支柱の転倒防止を図る立設安定化物をいう。
６．想像物
頭の中でテーマ設定し、イメージ策定し、場面が確定した状態のことをいう。
７．創作物
キャラクター形状物が載置具の載置舞台に載置された状態のことをいう。
８．装飾物
載置具、支柱及び固定物とを組み合わせた載置舞台上にキャラクター形状物が載置された創作物状態又はそれらが食事テーブルに置かれた状態をいう。
９．コミュニケーションツール
キャラクター形状物のメインキャラクター（貴女の代替と仮定）の顔面表情の調整と心的情報表現及び体調情報表現がなされた状態又はそれらが食事テーブルに載置された状態をいう。
１０．情報交換ツール
開閉可能な空間を有するキャラクター形状物に個人情報等の情報が記載されたメモが配設されたツールをいう。
【実施例１】
【００５０】
本発明の実施形態となる食事用具１は、図１に示すように、キャラクター形状物２、該キャラクター形状物２の舞台となる載置舞台を表面に設けた載置具３、該載置具３を支持する支柱４及び固定物２１から構成されている。
【００５１】
上記キャラクター形状物２は、図２に示すように、形状物全体又はその一部が、図２（ａ）、（ｂ）の動物のキャラクター、図２（ｃ）の花や木等の植物のキャラクター、図２（ｄ）の植物の実のキャラクター、図２（ｅ）の自然物のキャラクター、図２（ｆ）文字や図形のキャラクター等のイラスト、アニメ、漫画に登場するキャラクターや文字や図形等から構成され、或いは、形状物の外部表面の全体又はその一部に、これらが描写されているものをいう。上記各々のキャラクター形状物２は、図２（ａ）に示す動物としてのうさぎのキャラクター形状物２であれば、その足の裏側に第１の接触固定機構５として磁石等の着脱自在手段を設けている。同様に、図２（ｂ）に示すカメのキャラクター形状物２においても、その足の裏側に第１の接触固定機構５を設けている。図２（ｃ）に示す木のキャラクター形状物２、図２（ｄ）に示す植物の実のキャラクター形状物２、図２（ｅ）に示す雲のキャラクター形状物２、図２（ｆ）に示す文字のキャラクター形状物２の各々にも載置具３への載置側となる箇所に第１の接触固定機構５を設けている。
なお、本実施例１の食事用具１においては、図２（ａ）に示すうさぎをメインキャラクター形状物に設定している。
【００５２】
上記第１の接触固定機構５を設けたキャラクター形状物２は、図３に示すように、載置具３の表面となる載置舞台６に薄板鉄板等の材料を採用することにより第２の接触固定機構７とし、該キャラクター形状物が第１の接触固定機構５を介して着脱自在となるようにしている。
【００５３】
また、図４に示すように、キャラクター形状物２は、底部以外の外部表面の一部に第７の接触固定機構８を設け、第８の接触固定機構９を設けた別体となる様々な形状の容器、他のキャラクター形状物、利用者の心的状態を文字、記号、絵又はマーク等で表現した心的情報表現部品又は他の物品１０と着脱自在となるように形成している。
【００５４】
更に、上記キャラクター形状物２及び他の物品１０には、図２及び図４に示すように、開放した或いは開閉可能な空間部１１を有し、該空間部１１に各種食事関連品又は情報交換手段からなる被収納体を取り出し自在に収納している。
【００５５】
また、上記食事関連品からなる被収納体としては、調味料、香辛料、菓子類等があり、情報交換手段としては、メモ用紙を含む紙類、嗜好品、香水、香料等のいずれか又はそれらを組み合わせたものが採用される。
【００５６】
更に、上記キャラクター形状物２は、例えば、図２（ｂ）のカメのキャラクター形状物２の首の部分のように、形状物の一部に形状を変化させることが自由にできる形状可変部１２を設けることができ、これにより異なった態様の形状物を得ることができるようにしている。
【００５７】
また、上記キャラクター形状物２は、図４（ｂ）に示すように、顔面部を有し、眼、鼻、眉又は口を含む顔面部を構成する各部位を個別に着脱又は移動自在とし（例えば、イ）乃至ヌ）のようなもの）、それらの選択や装着位置及び装着状態により顔面の表情の変化を可能とした顔面表情可変部１３としている。この顔面表情可変部１３により使用者のその時点における気分状態を知ることが可能となる。
【００５８】
上記載置具３は、図３（ａ）、（ｂ）、（ｃ）に示すように、該載置具３の裏面に設けた第３の接触固定機構１４と支柱４の上端部に設けた第４の接触固定機構１５とが接触固定されることにより該支柱４の上端部に着脱自在に装着されるものである。
【００５９】
該載置具３は、表面側を平盤面とし、該キャラクター形状物２を着脱自在に所定の位置に載置配設できる載置舞台６を形成している。第３の接触固定機構１４としては、図３（ａ）に示す裏面に直接固定したもの、図３（ｂ）に示す支柱４の先端部が嵌入できる凹部１６を載置具３の裏面側に設けることで該載置具３を支柱４に安定的に固定できるようにしたものがある。また、図３（ｃ）に示す載置具３の裏面の凹部にネジ切り部１７を形成しておき、支柱４の先端部に設けたネジ１８を螺合固定させることで着脱自在に固定することができる。
【００６０】
また、図３（ｄ）に示すように、載置具３の裏面の凹部にリング状の小嵌入部１９を形成し、他方、支柱４の上端部側にリング状の小突起部２０を形成しておくことで、載置具３と支柱４とを嵌合固定することができると同時に、該支柱４に対して載置具３全体を回転させることもできる。この回転は、手動でもよいし、無線或いは後述する固定物２１の電力供給手段から電力を得て支柱４内或いは支柱に沿った配線により該リング状の小突起部２０を回動させることで電動回転させることもできる。
【００６１】
該載置具３の表面に設けた該載置舞台６は、図５に示すように、その周囲に立ち上がった縁部２２を形成し、該縁部２２内にキャラクター形状物の載置位置を定める境界線、段差及び壁等のいずれかからなる境界部を設け、該縁部２２の内側の各境界部として縦線２４及び横線２５で形成された座標２６や凹凸部、点部、色彩部等の目印部２７により位置情報を表示することができる。目印部は、キャラクター形状物２側に設けておくこともできる。
【００６２】
予めスマホアプリソフトにキャラクター形状物２の位置情報の画像を記憶させておき、それらの画像から特定の画像をスマホ画面に表示させ、当該画像を可視しながらキャラクター形状物２を選択して想像物を創作物として座標２６の縦線２４及び横線２５で囲まれた領域又は交点或いは目印部２７に設置することで具体化することができるし、選択したキャラクター形状物２に内蔵された調味料、香辛料等の各種食事関連品や情報交換手段の情報を取得し、それらを所定の位置に設置することが可能となる。
【００６３】
他方、想像物としてイメージしたものを座標２６の縦線２４及び横線２５で囲まれた領域又は交点或いは目印部２７にキャラクター形状物２を設置することで、その位置情報をスマホ画面に表示することができ、それを可視しながら食事や喫茶等を楽しむことができる。想像物を創作物として具体化することが可能となる。
【００６４】
上記設置位置は、縦線２４及び横線２５よりなる座標２６や目印部２７により位置情報をスマホ或いは目視により確認することができ、間違いのない位置へ配設することが可能となる。
【００６５】
更に、キャラクター形状物２のみではなく、載置具３、支柱４及び固定物２１の組み合わせも食事や喫茶等の内容に合わせて適宜選択することができ、画像を可視しながら或いは想像物として、例えば、支柱４にあっては、図６に示す各種手段を用いて支柱４の高さ調整や前後左右の位置の調整等をすることができる。これにより想像物から創作物を達成することができ、更に、食事テーブル上の装飾物としての役割を達成することも可能となる。
【００６６】
また、スマホ画面に表示されたキャラクター形状物２を参考にしながら或いは想像物から顔面部を表現する目、鼻、眉、口等の顔面表情可変部１３を調整して自己演出を図ることができ、コミュニケーションツールとして重要な役割を果たすことができる。
【００６７】
上記支柱４は、円柱や多角柱よりなる柱状体、棒状体又は管状体とし、図３に示すように、その上端部を載置具３と着脱自在となる第３の接触固定機構１４と第４の接触固定機構１５とを固定し、下端部に設けた第５の接触固定機構２８と固定物２１に設けた第６の接触固定機構２９とを固定している。前記上端部での載置具３の固定と同様、下端部でも図３に示した連結固定手段と同様、嵌合固定や螺合固定等の構成を採用することができる。載置具３と支柱４との固定位置は適宜位置に変えることができ、図１のようにキャラクター形状物２や載置具３が軽量のため中心部を避けた位置とすることができる。
【００６８】
該固定物２１は、食事テーブル上において食事用具１の転倒防止手段とすることができる。また、該固定物２１にはスイッチや各種操作のための操作盤を設けておくことができる。
【００６９】
更に、該固定物２１として板状体や板状体の代わりに携帯端末等の通信機器類３１とすることができるし、該板状体に通信機器類３１を装着できるようにしておくことができる。また、該通信機器類３１と載置具３、載置舞台６又は支柱４とを通電可能としておくことができる。
【００７０】
該支柱４は、図１に示すように、該支柱４の一部に屈曲又は伸縮を可能とする金属、プラスチック樹脂よりなるバー、チューブ、フレキシブルチューブよりなる部位を形成し、該支柱４の形状を変化させることのできる形状可変部３０とし、載置具３の高さ、前後左右の位置等を変えることを可能とし、また、屈曲することで装飾的効果を奏することができる。
【００７１】
形状可変部３０としては、上記図１に示したものの他、図６（ａ）に示すように、屈曲できる箇所を複数としたもの、図６（ｂ）に示すように、球状体やピン接合を採用し、球状体やピンに対する摩擦により適宜位置で停止させることで角度を変えることができるようにしたもの、図６（ｃ）に示すように、ボルトを使用した押圧板の押圧で位置決めすることができるようにしたもの、図６（ｄ）に示すように、歯車と球体や棒状体等の係止手段よりなるラチェット機構を採用したもの等、様々なものを採用することができる。
【００７２】
また、図６（ｅ）に示すように、径の異なる管状体を組み合わせ使用したり、蛇腹状の伸縮手段を使用することで支柱４の長さを変化させることができ、上記のように支柱４の調整により載置具３の前後左右の位置や高さ位置を変えることができる。
【００７３】
上記各種の接触固定機構は、磁石、吸盤、面ファスナー、嵌め込み部材、螺合部材、両面テープ、粘着シート又は磁石と鉄粉の強磁性体粉末を充填したプラスチック樹脂や紙の組み合わせ等の様々なものを採用することができる。
【実施例２】
【００７４】
上記載置具３には、電球又はＬＥＤ等の発光素子３２を設け、これらに通電すること或いはソーラー電池を利用して発光させることで、載置舞台６上のキャラクター形状物２へライトアップすることができる。また、固定物２１や該載置具３の裏面側に発光素子３２を設けることで支柱４や食事用具１全体へライトアップすることができる。通電は無線でできるし、有線の場合は、後述する固定物２１に設けた電力供給手段３３と連結することで行うことができる。載置具３の発光素子３２の場合は、支柱４を経由（支柱の形状可変部３０が球状体やピンのようなものであれば貫通孔付のものや支柱４に沿ったものとする）して該発光素子３２と連結することができる。
【００７５】
また、携帯端末を含む通信機器類３１に表示された創作物や装飾物の画像を現実の食事用具１に使用する場合、画像に表示されたキャラクター形状物２、載置具３、支柱４等の一部又は全ての要素を抽出し、画像に表示されたキャラクター形状物２と載置具３及び載置具３と支柱４との関係を座標２６や目印部２７等の位置情報として数値化し、表示された数値を頼りに現物のキャラクター形状物２や載置具３及び支柱４を組み合わせ、例えば、キャラクター形状物２と載置具３にあっては、該載置具３の載置舞台６に位置合わせしながらキャラクター形状物２を特定の位置に載置することが可能となる。
【実施例３】
【００７６】
上記固定物２１に、キャラクター形状物２、載置舞台６、載置具３、支柱４等をライトアップする発光素子３２の電源となる乾電池を収納する乾電池収納スペースやソーラー電池収納スペース等の電力供給手段３３を設けておくことができる。
【００７７】
また、該電力供給手段３３は、載置具３や支柱４等の駆動源とし、通電によりそれらを可動することができ、上下運動、屈曲運動、回転運動等を可能とすることができる。
【符号の説明】
【００７８】
１    食事用具
２    キャラクター形状物
３    載置具
４    支柱
５    第１の接触固定機構
６    載置舞台
７    第２の接触固定機構
８    第７の接触固定機構
９    第８の接触固定機構
１０  他の物品
１１  空間部
１２  形状可変部
１３  顔面表情可変部
１４  第３の接触固定機構
１５  第４の接触固定機構
１６  凹部
１７  ネジ切り部
１８  ネジ
１９  リング状小嵌入部
２０  リング状小突起部
２１  固定物
２２  縁部
２４  縦線
２５  横線
２６  座標
２７  目印部
２８  第５の接触固定機構
２９  第６の接触固定機構
３０  形状可変部
３１  通信機器類
３２  発光素子
３３  電力供給手段
【図１】
2019110984.tif 000003
【図２】
2019110984.tif 000004
【図３】
2019110984.tif 000005
【図４】
2019110984.tif 000006
【図５】
2019110984.tif 000007
【図６】
2019110984.tif 000008
【手続補正書】
【提出日】平成30年3月16日(2018.3.16)
【手続補正１】
【補正対象書類名】明細書
【補正対象項目名】０００５
【補正方法】変更
【補正の内容】
【０００５】  また、モノやサービスから得られる機能・性能、便利さ、安価等の実用的価値よりも、むしろモノやサービスから受容又は感応する楽しさ，喜び等の情緒的価値や自己の視覚化（おしゃれ）、心地好い感触等の官能的価値、即ち、感情や感覚の快適な刺激を重要視するソフト化志向が進行している事実がある。
【手続補正２】
【補正対象書類名】明細書
【補正対象項目名】００１６
【補正方法】変更
【補正の内容】
【００１６】  上記内容を要約すると、本発明の食事用具は、実用的な価値追求型食事（ハードな食事）から心の潤いや自己の視覚化（おしゃれ）を主とする情緒的な価値や官能的な価値追求型食事（ソフトな食事）への価値観の転換を図る用具である。
また、先行技術である生活用具と本発明の食事用具の相違は、前者は、人間の生活における活動全般に亘るものであるが、後者は、生活の中での対象を食事に特化したものであり、要素の構成と構造は異なるものである。
本食事用具の主要テーマは、結果の多様性の認識（同じ要素とプロセスを使用しても結果は個性、価値観等の違いにより異なる）と食事のソフト化（感情（心）と感覚（五感）を快適に刺激する食事）であるが、食事は、世界共通の文化で国境等がないため、グローバル展開が可能な技術である。因みに、本食事用具のキイワードは、多様化、ソフト化、グローバル化である。
本発明は、生活用具を食事に適用した場合の課題を抽出し、その解決手段を食事用具に展開した技術である。
【手続補正３】
【補正対象書類名】明細書
【補正対象項目名】００３３
【補正方法】変更
【補正の内容】
【００３３】１．“その周辺に縁部を形成し”とは、載置具の端部から３ｃｍ以内の範囲に境界部を設定することを意味し、その理由は、キャラクター形状物の載置舞台の範囲の明確化と落下に対する心理的抑止力を作用させることである。
２．載置範囲の大きさは、ＩＳＯ２１６規格によるＡ４サイズの５０％以下とする。
３．本発明の食事用具は、主に外食使用のため、普通のバッグに収容できる携帯サイズと軽量化が重要である。
４．スマホ等の携帯端末に表示された装飾物の画像を現実の装飾物に変換する場合、載置範囲に座標や目印部が存在すると位置合わせが楽で正確に載置することができる。
【手続補正４】
【補正対象書類名】明細書
【補正対象項目名】００４９
【補正方法】変更
【補正の内容】
【００４９】
なお、実施例や図面に示す文言及び番号は、下記する定義を有するものとする。
１．キャラクター形状物
物全体又はその一部が動物や植物のキャラクターを対象とする。例えば、図２（ａ）、（ｂ）動物のキャラクター、図２（ｃ）花や木等の植物のキャラクター、図２（ｄ）植物の実のキャラクター、図２（ｅ）自然物のキャラクター、図２（ｆ）文字のキャラクター等のイラスト、アニメ、漫画に登場するキャラクターや文字、図形のキャラクター等から構成された物をいい、物の外部表面の全体又はその一部に上記のものが描写されている物をいう。
２．載置具
キャラクター形状物を着脱自在に載置することができる載置舞台を有するものをいう。
３．載置舞台
載置具の周辺に縁部を形成し、その縁部にキャラクター形状物の載置範囲を定める境界線、段差、壁等の境界部を設けたその境界内の領域。
４．支柱
載置具を支持することができるものをいう。
５．固定物
キャラクター形状物、載置具及び支柱の転倒防止を図る立設安定化物をいう。
６．想像物
頭の中でテーマ設定し、イメージ策定し、場面が確定した状態のことをいう。
７．創作物
キャラクター形状物が載置具の載置舞台に載置された状態のことをいう。
８．装飾物
載置具、支柱及び固定物とを組み合わせた載置舞台上にキャラクター形状物が載置された創作物状態又はそれらが食事テーブルに置かれた状態をいう。
９．コミュニケーションツール
キャラクター形状物のメインキャラクター（利用者の代替と仮定）の顔面表情の調整と心的情報表現及び体調情報表現がなされた状態又はそれらが食事テーブルに載置された状態をいう。
１０．情報交換ツール
開閉可能な空間を有するキャラクター形状物に個人情報等の情報が記載されたメモが配設されたツールをいう。
【実施例１】
【手続補正５】
【補正対象書類名】明細書
【補正対象項目名】００５７
【補正方法】変更
【補正の内容】
【００５７】  また、上記キャラクター形状物２は、図４（ｂ）に示すように、顔面部を有し、眼、鼻、眉又は口を含む顔面部を構成する各部位を個別に着脱又は移動自在とし（例えば、イ）乃至ヌ）のようなもの）、それらの選択や装着位置及び装着状態により顔面の表情の変化を可能とした顔面表情可変部１３としている。この顔面表情可変部１３により利用者のその時点における気分状態を知ることが可能となる。
【手続補正６】
【補正対象書類名】明細書
【補正対象項目名】００６１
【補正方法】変更
【補正の内容】
【００６１】  該載置具３の表面に設けた該載置舞台６は、図５に示すように、その周辺に立ち上がった縁部２２を形成し、該縁部２２内にキャラクター形状物の載置位置を定める境界線、段差及び壁等のいずれかからなる境界部を設け、該縁部２２の内側の各境界部として縦線２４及び横線２５で形成された座標２６や凹凸部、点部、色彩部等の目印部２７により位置情報を表示することができる。目印部は、キャラクター形状物２側に設けておくこともできる。